(57)【要約】【課題】ボトルの冷却と当該ボトルの撮像に基づく付加価値の提供とを両立することができるボトル保管器を実現すること。【解決手段】ボトル保管器１００は、ボトルを収容する収容部と、ボトルの収容位置を囲うように設けられる冷温装置１０４と、収容部に収容されたボトルを撮像する撮像部３１５と、を備え、冷温装置１０４は、撮像部３１５の撮像領域の少なくとも一部に対応する冷温装置１０４の部分が少なくとも空いている隙間を有する。【選択図】図２
2018134379.tif 000002
【特許請求の範囲】
【請求項１】
ボトルを収容する収容部と、
前記ボトルの収容位置を囲うように設けられる冷温装置と、
前記収容部に収容された前記ボトルを撮像する撮像部と、
を備え、
前記冷温装置は、前記撮像部の撮像領域の少なくとも一部に対応する前記冷温装置の部分が少なくとも空いている隙間を有する、
ボトル保管器。
【請求項２】
前記冷温装置を前記ボトルの収容位置に近接する方向及び離間する方向の少なくとも一方に移動させる位置調整部をさらに備え、
前記隙間は、前記冷温装置が前記ボトルの収容位置に近接する方向に移動させられると小さくなり、前記冷温装置が前記ボトルの収容位置から離間する方向に移動させられると大きくなる、
請求項１に記載のボトル保管器。
【請求項３】
前記隙間は、前記冷温装置が前記ボトルの収容位置に近接する方向へ移動させられた状態において前記撮像部の撮像領域に前記ボトルが含まれる程度に空いている、
請求項２に記載のボトル保管器。
【請求項４】
前記隙間は、前記冷温装置が前記ボトルの収容位置に近接する方向へ移動させられた状態において前記撮像部の撮像領域に前記ボトルが含まれない程度に空いている、
請求項２に記載のボトル保管器。
【請求項５】
前記位置調整部は、前記撮像部の撮像に応じて前記冷温装置を移動させる、
請求項２から請求項４のいずれか一項に記載のボトル保管器。
【請求項６】
前記位置調整部は、前記撮像部の撮像が行われる前に、前記冷温装置を前記ボトルの収容位置から離間する方向へ移動させる、
請求項５に記載のボトル保管器。
【請求項７】
前記位置調整部は、前記撮像部の撮像が行われた後、前記冷温装置を前記ボトルの収容位置に近接する方向へ移動させる、
請求項５又は請求項６に記載のボトル保管器。
【請求項８】
前記位置調整部は、前記ボトルの温度に応じて前記冷温装置を移動させる、
請求項２から請求項７のいずれか一項に記載のボトル保管器。
【請求項９】
前記ボトルのサイズを検知するサイズ検知部をさらに備え、
前記位置調整部は、検知された前記サイズに基づいて前記冷温装置を移動させる、
請求項２から請求項８のいずれか一項に記載のボトル保管器。
【請求項１０】
前記ボトルの中身の残量を検知する残量検知部をさらに備え、
前記位置調整部は、検知された前記残量に基づいて前記冷温装置の一部を移動させる、
請求項２から請求項９のいずれか一項に記載のボトル保管器。
【請求項１１】
前記冷温装置は、冷温媒体と前記冷温媒体を収納する容器を有する、
請求項１から請求項１０のいずれか一項に記載のボトル保管器。
【請求項１２】
前記冷温装置は、
冷却面が前記ボトルの方向を向き、発熱面が前記ボトルと反対側を向くように配置されたペルチェ素子と、
前記ペルチェ素子の前記発熱面を冷却する冷媒と、
を有する、
請求項１から請求項１０のいずれか一項に記載のボトル保管器。
【請求項１３】
前記冷却装置は、前記冷却装置の中央が前記ボトル保管器の中央よりも前記撮像部から離間する位置に配置される、
請求項１から請求項１２のいずれか一項に記載のボトル保管器。
【請求項１４】
前記撮像部から得られる画像に基づいて前記ボトルの銘柄を特定する情報管理部と、
特定された前記銘柄及び前記銘柄に関する関連情報を提示する提示部と、
をさらに備える、
請求項１から請求項１３のいずれか一項に記載のボトル保管器。
【発明の詳細な説明】
【技術分野】
【０００１】
本発明は、ワインボトル等のボトルを保管するボトル保管器に関する。
【背景技術】
【０００２】
ワインは世界中で愛飲されている。また、日本酒（SAKE）も世界中に普及し始めており、ワインとほぼ同様の大きさのボトル（四合瓶）に入れられて流通している。
【０００３】
ワインを一定温度で保管できるものとして、ワインセラーがある。一般に普及しているワインセラーは、コンプレッサやファン等を用いて電気的にワインを冷やす。ワインセラーは温度管理には優れているが、大型であり持ち運びに手間がかかり、さらにコンプレッサやファンの音が発生するので、卓上用として用いるには適さない場合が多い。
【０００４】
そこで、卓上用のボトル保管器として、氷水でワインを冷やすワインクーラーがある。しかし、氷水を用いたワインクーラーはワインが適温（例えば５℃〜２０℃）よりも冷えすぎてしまう欠点がある。また、この種のワインクーラーは、ワインボトルに水滴が付着するため、ワインをグラスに注ぐためにボトルをワインクーラーから取り出す毎に、ボトルをタオルで拭いて水滴を取り除く必要があった。
【０００５】
このような不都合を解決する一つの方法として、特許文献１では、保冷容器の内壁に保冷材を着脱自在に固定できるワインクーラーが提案されている。特許文献１では、保冷材の数量や大きさを調整することにより、柔軟に温度調節が可能となる旨が記載されている。
【先行技術文献】
【特許文献】
【０００６】
【特許文献１】特許第４４０６６８３号公報
【発明の概要】
【発明が解決しようとする課題】
【０００７】
しかしながら、特許文献１で開示されたワインクーラーは、ワインボトルを冷やす以外の付加価値がない。
【０００８】
本開示の一態様は、ボトルの冷却と当該ボトルの撮像に基づく付加価値の提供とを両立することができるボトル保管器を開示する。
【課題を解決するための手段】
【０００９】
本開示の一態様に係るボトル保管器は、
ボトルを収容する収容部と、
前記ボトルの収容位置を囲うように設けられる冷温装置と、
前記収容部に収容された前記ボトルを撮像する撮像部と、
を備え、
前記冷温装置は、前記撮像部の撮像領域の少なくとも一部に対応する前記冷温装置の部分が少なくとも空いている隙間を有する。
【発明の効果】
【００１０】
本開示の一態様によれば、ボトルの冷却と当該ボトルの撮像に基づく付加価値の提供とを両立することができる。
【図面の簡単な説明】
【００１１】
【図１】実施の形態のボトル保管器の外観を示す斜視図
【図２】ボトル保管器の機能構成を示すブロック図
【図３Ａ】冷温装置にペルチェ素子を設けて電気的な冷温制御を行う構成を示した図
【図３Ｂ】ボトルに対する冷温装置の物理的な距離を変えることにより冷温制御を実現する構成を示した図
【図３Ｃ】移動する冷温装置の正面図
【図３Ｄ】他の例における移動する冷温装置の正面図
【図４】図３Ｂに示した構成をより詳細に示した図
【図５】温度調整の基本的な流れを示すフローチャート
【図６】送風機能を有するボトル保管器の機能構成を示すブロック図
【図７】ボトル保管器の送風機構の構成を示す概略図
【図８】冷却促進機能を有するボトル保管器の機能構成を示すブロック図
【図９Ａ】冷却促進機能を有する冷温装置の構成を示す側面方向から見た概略図
【図９Ｂ】冷却促進機能を有する冷温装置の構成を示す上部方向から見た概略図
【図１０】通信による液内温度検知機能を有するボトル保管器と、ボトルキャップ機器との機能構成を示すブロック図
【図１１Ａ】ボトルキャップ機器により液内温度を検知し伝達する構成例を示す図であり、ボトルキャップ機器をボトルに装着した状態を示す図
【図１１Ｂ】ボトルキャップ機器により液内温度を検知し伝達する構成例を示す図であり、ボトルキャップ機器とボトル保管器との通信の様子を示す図
【図１２】重量検知機能を有するボトル保管器と、それを用いたシステムと、の機能構成を示すブロック図
【図１３】重量センサによりボトル重量の変化を計測するための構成例を示す図
【図１４】ログ情報記憶部に記憶される重量履歴ログの例を示す図
【図１５】ボトルキャップによる液量検知機能を有するボトル保管器と、ボトルキャップ機器と、の機能構成を示すブロック図
【図１６Ａ】ボトルキャップ機器により飲料の液量を検知する例を示す図
【図１６Ｂ】ボトルキャップ機器により飲料の液量を検知する例を示す図
【図１７Ａ】ボトル保管器による残量表示の例を示す図
【図１７Ｂ】ボトル保管器による残量表示の例を示す図
【図１８】実施の形態のボトル保管器を用いて構築されるシステムの具体例を示す概略図
【図１９Ａ】機器メーカがクラウドサーバの運営を行っている例を示す図
【図１９Ｂ】機器メーカ及び他の管理会社が共同もしくは分担してクラウドサーバの運営を行っている例を示す図
【図２０】他の例における移動する冷温装置の正面図
【図２１】他の例における移動する冷温装置の正面図
【図２２Ａ】移動しない冷温装置の正面図
【図２２Ｂ】移動しない冷温装置の断面図
【図２３】撮像に応じた冷温装置の位置調節処理のフローチャート
【図２４】ボトルのサイズに応じた冷温装置の位置調節処理のフローチャート
【発明を実施するための形態】
【００１２】
以下、図面を適宜参照して、本発明の実施の形態について、詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
なお、添付図面および以下の説明は、当業者が本開示を十分に理解するために、提供されるのであって、これらにより特許請求の範囲に記載の主題を限定することは意図されていない。
【００１３】
＜１＞ボトル保管器の基本構成
図１は、実施の形態のボトル保管器１００の外観を示す斜視図である。なお、本実施の形態のボトル保管器１００は、ワインボトルに限らず、シャンパン、日本酒などの飲料が入れられたボトルの保管器として広く用いることができる。
【００１４】
ボトル保管器１００は、略円筒形状である。ボトル保管器１００の内部には、ボトル１を収容するための空間である収容部１０１が設けられている。ボトル保管器１００の側面には、提示部の一例として、液晶ディスプレイなどからなる表示部１０２と、ＬＥＤ（Light Emitting Diode）などからなる通知部１０２ａと、が設けられている。ボトル保管器１００の上面には、静電ボタンなどからなる操作入力部１０３が設けられている。
【００１５】
図２は、ボトル保管器１００の機能構成を示すブロック図である。ボトル保管器１００は、表示部１０２、通知部１０２ａ、操作入力部１０３に加えて、冷温装置１０４、位置調整部１０５、温度センサ１０６、制御部１０７、情報管理部１０８、ログ情報記憶部（ログ情報）１０９、銘柄データベース（銘柄ＤＢ）１１０及び撮像部３１５を有する。
【００１６】
制御部１０７は、ボトル保管器１００の全体の動作を制御する。冷温装置１０４は、ボトル保管器１００に挿入されたボトル１を冷却及び又は温める機能を有する。位置調整部１０５は、冷温装置１０４の位置を調整することにより、ボトル１の温度を調整する。温度センサ１０６はボトル１又はボトル１の周辺の温度を測定する。
【００１７】
ログ情報記憶部１０９には、例えば操作ログや、挿入されたボトル１の銘柄に関するログなどが記憶される。
【００１８】
銘柄データベース１１０には、例えば多数の銘柄のラベル画像が格納されており、制御部１０７及び情報管理部１０８が、操作入力部１０３を介したユーザー操作などに応じて、挿入されたボトル１のラベルを撮像部３１５を用いて読み取り、読み取られたラベルに対応するラベル画像を銘柄データベース１１０から読み出して表示部１０２に表示することができる。また、銘柄データベース１１０に、多数の銘柄に関するその他の情報を格納しておけば、挿入されたボトル１に関する情報（例えば蔵元情報や味に関する情報）を銘柄データベース１１０から読み出して表示部１０２に表示することができる。
【００１９】
図３Ａ−図３Ｄは、冷温装置１０４による冷温動作例の説明に供する概略図である。図３Ａは冷温装置１０４にペルチェ素子を設け、温度センサ１０６によって測定した温度に基づいて冷温装置制御部１２０によって冷温装置１０４を電気的に冷温制御する構成を示したものである。
【００２０】
一方、図３Ｂは、図２の機能構成に対応した冷温構造を示し、図３Ｃは、冷温装置１０４の正面図であり、冷温装置１０４の位置が調節される例を示す。ボトル保管器１００には、図３Ｂ及び図３Ｃに示したように、位置調整部１０５としてモーターなどが設けられ、温度センサ１０６によって測定した温度に基づいてボトル１に対する冷温装置１０４の物理的な距離を変えることにより、冷温制御が実現される。例えば、測定した温度が目標温度よりも高ければ、冷温装置１０４をボトルの収納位置へ近づけ、測定した温度が目標温度以下であれば、冷温装置１０４をボトルの収納位置から遠ざける。
【００２１】
なお、ペルチェ素子を有する冷温装置１０４においてペルチェ素子が位置調整されてもよい。また、冷温装置１０４及び隙間の形状は、他の形状であってもよい。図３Ｄは、他の例における移動する冷温装置１０４の正面図である。例えば、冷温装置１０４は、図３Ｄに示したように、冷温装置１０４がボトルの収納位置へ近づけられた場合に、隙間が埋められるような形状を有していてもよい。なお、完全に隙間が閉じられてもよく、所定の距離の隙間が空けられていてもよい。
【００２２】
図４は、図３Ｂの構成をより詳細に示したものである。冷温装置１０４は、予め外部で冷却又は温められた冷温媒体１０４ａと、冷温媒体１０４ａを収容する容器１０４ｂとを有する。この冷温装置１０４は、ボトル収容部１０１の周囲に配設される。また、容器１０４ｂすなわち冷温装置１０４は、隙間を有する。例えば、図４に示したように、冷温装置１０４は、円環柱の一部が垂直方向に切り取られた形状である。隙間は、冷温装置１０４の位置の調節に応じて大きさが変化する。例えば、隙間は、図３Ｃに示したように冷温装置１０４の位置がボトルの収容位置に近接する方向に移動させられると小さくなり、冷温装置１０４がボトルの収容位置から離間する方向に移動させられると大きくなる。
【００２３】
なお、冷温装置１０４の断面は、円形状でなく多角形状であってもよい。また、隙間は２か所に限定されず、３か所以上であってもよい。
【００２４】
また、隙間は物理的な隙間でなくてもよい。例えば、容器１０４ｂが光を透過する材料で形成され、冷温媒体１０４ａが配置されないことにより撮像のための隙間が設けられてよい。
【００２５】
図５は、温度調整の基本的な流れを示すフローチャートである。ボトル保管器１００の制御部１０７は、電源がＯＮされると、ステップＳ１１において、例えば通知部１０２ａのＬＥＤを所定の色で発光させることにより、起動通知表示を行う。制御部１０７は、ステップＳ１２でターゲット温度を設定し、ステップＳ１３で温度センサ１０６から温度情報を取得し、ステップＳ１４で測定温度がターゲット温度に近づくように冷温装置１０４を制御して冷温調整を行う。冷温調整は、図３Ａのような構成の場合にはペルチェ素子に流す電流を制御することで行い、図３Ｂのような構成の場合は冷温装置１０４の位置調整により行う。制御部１０７は、ステップＳ１５で電源がＯＦＦであると判断するまで、ステップＳ１２−Ｓ１３−Ｓ１４−Ｓ１５−Ｓ１２の処理を繰り返す。
【００２６】
＜２＞送風機能
図２との対応部分に同一符号を付して示す図６は、送風機能を有するボトル保管器２００の機能構成を示すブロック図である。ボトル保管器２００は、図２のボトル保管器１００の構成に加えて、送風制御部２０１を有する。送風制御部２０１は、温度センサ１０６によって測定された温度に基づいて送風機構を制御する。これにより、ボトル保管器２００は、冷温温度の位置だけでなく送風によっても温度を制御するため、ボトル１をより迅速、あるいは緻密に所望の温度とすることができる。
【００２７】
図３との対応部分に同一符号を付して示す図７は、ボトル保管器２００の送風機構の構成を示す概略図である。ボトル１を収容している収容部１０１の上部にはボトル１を挿入するための開口が形成されている。また、収容部１０１の下端部には、開閉扉２０２が設けられており、開閉扉２０２の開閉が送風制御部２０１によって制御される。例えばボトル１を冷やしているときには送風制御部２０１は開閉扉２０２を閉状態とすることにより収容部１０１内の温度を下げ、ボトル１が冷えすぎたときには開閉扉２０２を開状態とすることにより冷気を外部に排気する。
【００２８】
なお、開閉扉２０２に加えて、又は、開閉扉２０２に代えて、送風ファンを設け、送風ファンを用いて温度調整を行うようにしてもよい。例えば、冷却時に開閉扉２０２を閉じて送風ファンを回せば急速冷却を実現でき、冷え過ぎ時には開閉扉２０２を開けて送風ファンを回せば急速に温度を上げることができる。
【００２９】
＜３＞冷却促進機能
図６との対応部分に同一符号を付して示す図８は、冷却促進機能を有するボトル保管器３００の機能構成を示すブロック図である。ボトル保管器３００は、ボトル保管器２００と比較して冷温装置３１０の構成が異なる。冷温装置３１０は、冷却促進部３１１を有する。
【００３０】
図９Ａ及び図９Ｂは、冷温装置３１０の構成を示す概略図である。図９Ａはボトル保管器の側面方向から冷却装置３１０を見た図であり、図９Ｂはボトル保管器の上部方向から冷却装置３１０を見た図である。冷温装置３１０は、ペルチェ素子３１２と、冷温装置制御部３１３と、冷温促進部３１１と、を有する。なお、図９Ａ及び図９Ｂでは、図を簡単にするために、位置調整部１０５や送風制御部２０１などは省略している。
【００３１】
ペルチェ素子３１２は、冷却面３１２ａがボトル１の方向を向き、発熱面３１２ｂがボトル１と反対側を向くように配置されている。冷温装置制御部３１３は、ペルチェ素子３１２に流れる電流を制御することにより、ペルチェ素子３１２の冷却動作を制御する。
【００３２】
冷却促進部３１１は、ペルチェ素子３１２の発熱面側に設けられた容器３１１ａと、容器３１１ａに収納される冷媒３１１ｂとを有する。冷媒３１１ｂは、蓄冷剤や保冷剤と呼ぶことができ、予め他の冷温装置などによって例えば０°以下に冷やされたものである。
【００３３】
本実施の形態の冷温装置３１０は、ペルチェ素子３１２の発熱面を冷媒３１１ｂによって冷却する構成としているので、ペルチェ素子３１２の発熱面をファンなどの風によって冷却する場合と比較して、騒音をなくすことができる。特に、本実施の形態のボトル保管器は食卓に置くことを想定しているので、ファンによる騒音が発生すると非常に気になるが、図９Ａ及び図９Ｂのような構成を採用すれば、ファンによる騒音が発生しないので、静かな環境で食事や会話を行うことができる。
【００３４】
図９Ｂから分かるように、ペルチェ素子３１２及び冷却促進部３１１は、ボトル１を囲むようにボトル１の周囲に配置されている。また、図９Ｂに示すように、ボトル１のラベルを撮像する撮像部３１５が設けられ、冷温装置３１０の隙間は、撮像部３１５の撮像領域の少なくとも一部に対応している。例えば、図９Ｂでは、撮像部３１５の正面に冷温装置３１０の隙間が設けられている。
【００３５】
また、冷温装置３１０の隙間の大きさは、冷温装置１０４と同様、冷温装置３１０の移動に応じて変化するが、撮像部３１５の撮像と冷却との両立が図られる。例えば、撮像を優先する場合は、図３Ｃに示したように、冷温装置３１０の隙間は、冷温装置３１０がボトルの収容位置に近接する方向へ移動させられた状態において撮像部３１５の撮像領域にボトルが含まれる程度に空いている。他方で、冷却を優先する場合は、図３Ｄに示したように、冷温装置３１０の隙間は、冷温装置３１０がボトルの収容位置に近接する方向へ移動させられた状態において撮像部３１５の撮像領域にボトルが含まれない程度に空いている。
【００３６】
また、撮像部３１５と冷温装置３１０とが離隔されるようにそれぞれ配置される。例えば、図９Ｂでは、冷温装置３１０は、冷温装置３１０の中央がボトル保管器１００の中央よりも撮像部３１５から離間する位置に配置されている。
【００３７】
また、表示部１０２は、撮像部３１５に隣接して設けられる。撮像部３１５の撮像により得られた撮像画像に基づく画像を表示部１０２が表示する。
【００３８】
＜４＞通信による液内温度検知機能
図８との対応部分に同一符号を付して示す図１０は、通信による液内温度検知機能を有するボトル保管器４００、及び、ボトルキャップ機器５００の機能構成を示すブロック図である。ボトル保管器４００は、ボトルキャップ機器５００との通信が可能な通信部４０１を有する。ボトルキャップ機器５００は、温度センサ５０１と、通信部５０２とを有する。
【００３９】
図１１Ａ及び図１１Ｂは、ボトルキャップ機器５００により液内温度を検知し伝達する構成例を示す図である。図１１Ａはボトルキャップ機器５００をボトル１に装着した状態を示す図である。ボトルキャップ機器５００は、キャップ本体５０３から下方に延びる温度センサ（プローブ）５０１を有する。また、キャップ本体５０３には、通信部５０２が内蔵されている。図１１Ｂは、ボトルキャップ機器５００とボトル保管器４００との通信の様子を示す模式図である。温度センサ５０１により測定された温度情報が通信部５０２からボトル保管器４００の通信部４０１に無線通信により送られる。
【００４０】
ボトル保管器４００の制御部１０７は、ボトルキャップ機器５００から受け取った温度情報に基づいて、冷温装置３１０、位置調整部１０５及び又は送風制御部２０１を制御することで、温度調整を行う。これにより、飲料の温度を直接測定するので、温度センサ１０６によるボトル１外部の温度に基づいて温度調整を行うよりも、より好ましい温度調整を行うことができる。
【００４１】
＜５＞重量検知機能
図８との対応部分に同一符号を付して示す図１２は、重量検知機能を有するボトル保管器６００、及び、それを用いたシステムの機能構成を示すブロック図である。ボトル保管器６００は、重量センサ６０１と、通信部６０２とを有する。通信部６０２は、インターネット７００を介してクラウドサーバ８００と通信可能となっている。また、通信部６０２は、インターネット７００を介して又は直接、情報機器９００と通信可能となっている。これにより、重量センサ６０１により得られた重量情報は、クラウドサーバ８００及び又は情報機器９００に送信可能である。
【００４２】
クラウドサーバ８００は、保管器管理部８０１、ログ情報記憶部８０２及び銘柄データベース８０３を有する。クラウドサーバ８００は、複数のボトル保管器６００と通信可能となっており、ログ情報記憶部８０２に複数のボトル保管器６００のログ情報を記録でき、かつ、銘柄データベース８０３に非常に多くの銘柄データを格納できる。情報機器９００は、例えばスマートフォンなどであり、通信部９０１、表示部９０２、制御部９０３及び操作入力部９０４などを有する。
【００４３】
図１３は、重量センサ６０１によりボトル重量の変化を計測するための構成例を示す図である。ボトル保管器６００はボトル１を載置するボトル台６１０を有する。重量センサ６０１はボトル台６１０に載置されたボトル１の重量を測定する。重量センサ６０１は、例えば圧電素子や歪みゲージなどの既知に手段を用いてボトル１の重量を測定する。
【００４４】
因みに、冷温装置３１０は位置調整部１０５によって保持されており、位置調整部１０５がモーターなどを備えた図示しない移動機構によって移動され、その結果、冷温装置３１０がボトル１に接近及び離間する方向に移動可能とされている。
【００４５】
重量センサ６０１により得られた重量情報は、ボトル保管器６００のログ情報記憶部１０９や、クラウドサーバ８００のログ情報記憶部８０２に記憶される。図１４は、ログ情報記憶部１０９、８０２に記憶される重量履歴ログの例を示す図である。重量情報は、日時及びＣＩＤ（コンテンツＩＤ）に紐付けられて記憶される。
【００４６】
コンテンツＩＤは、ボトルを特定するＩＤである（よってボトルＩＤといってもよい）。例えばユーザーはボトル保管器６００にボトル１を挿入するときにそのボトル１を特定するための情報を操作入力部１０３を用いて入力する。
【００４７】
なお、カメラなどの撮像部を有するボトル保管器の場合には、ボトルのラベルを撮像部によって撮像し、情報管理部１０８がこの撮像画像と銘柄データベース１１０に格納された画像とを照合することで、コンテンツＩＤを特定できる。
【００４８】
重量履歴ログとして記憶される重量は、図１４の例のようにボトルの重量を抜いた飲料の重量でもよく、ボトルの重量を含む総重量でもよい。ただし、飲料の重量が分かれば、飲料の残量が分かるので、ボトルの重量を抜いた飲料の重量履歴ログを記憶することが好ましい。因みに、コンテンツＩＤを特定できればボトルの重量は分かるので、総重量からボトルの重量を引くことで飲料の重量を容易に算出できる。
【００４９】
ボトル保管器６００が例えばレストランで使用された場合、店員などのユーザーは情報機器９００によって現在ボトル保管器６００に挿入されているボトル１の飲料の残量を知ることができ、残量が少なくなった場合には、次のボトル１を用意することなどが可能となる。例えば図１４の例のように重量が「７０」となったときに、店員は残量を少なくなったことを認識でき、ボトル保管器１が置かれているテーブルのお客に対して次の注文を取りに行くことができる。この結果、サービスの質を高めることができる。
【００５０】
＜６＞ボトルキャップによる液量検知機能
図１２との対応部分に同一符号を付して示す図１５は、ボトルキャップ１１００による液量（残量と言い換えてもよい）検知機能を有するボトル保管器１０００、及び、ボトルキャップ機器１１００の機能構成を示すブロック図である。ボトルキャップ機器１１００は、通信部１１０１と、温度センサ１１０２と、残量センサ１１０３とを有する。通信部６０２と通信部１１００は互いに無線通信が可能となっている。ボトルキャップ機器１１００により得られた飲料についての温度情報及び残量情報は、無線通信によってボトル保管器１０００に送られる。
【００５１】
図１６Ａ及び図１６Ｂは、ボトルキャップ機器１１００により飲料の液量を検知する例を示す図である。キャップ本体１１０４には、残量センサ１１０３として例えば静電容量センサが設けられている。静電容量センサは、液面が上下に変化したことを静電容量の変化として検知することで、飲料の残量を検知する。つまり、図１６Ａに示したように残量が多い場合には、液面との間の静電容量が小さくなり、図１６Ｂに示したように残量が少ない場合には、液面との間の静電容量が大きくなるので、それに基づいて残量を検知することができる。なお、図１６Ａ及び図１６Ｂでは、図を簡単にするために、温度センサ１１０２は省略してある。
【００５２】
図１７Ａ及び図１７Ｂは、ボトル保管器１０００による残量表示の例を示す。図１７Ａ及び図１７Ｂの例では、ボトル保管器１０００の通知部１０２ａとして複数のＬＥＤを設け、残量に応じた数のＬＥＤを発光させることで残量表示を行っている。勿論、このような表示に代えて、表示部１０２に残量の数値を表示してもよい。つまり、通知部１０２ａ及び表示部１０２は、残量表示部として用いることができる。また、図１２と同様に、クラウドサーバ８００や情報機器９００に残量を送信してもよい。逆に、重量センサ６０１で測定した重量に基づく残量を、図１７Ａ及び図１７Ｂに示したようにＬＥＤで表示してもよい。
【００５３】
特に、ボトル保管器１０００の表面に設けられた発光部の発光色を、残量が所定閾値よりも少なくなった場合に切り換えるようにすれば、ユーザーや店員にボトル保管器１０００内の飲料が少なくなったことを発光色によって知らせることができるので便利である。
【００５４】
＜７＞他の実施の形態
＜７−１＞
上述のボトル保管器に音声入出力部を設け、各種の情報を音声出力するようにしてもよい。例えばボトル保管器に挿入されたボトルの銘柄や、銘柄に関する情報を音声出力してもよい。また、ボトル１内の飲料の残量を検知するセンサが設けられている場合には、飲料の残量が少なくなったことを音声出力によりユーザーや店員に知らせてもよい。
【００５５】
また、ボトル保管器を対話型の構成としてもよい。例えば音声入出力部から入力された音声による要求に応えて、ログ情報記憶部１０９や銘柄データベース１１０から読み出した情報を音声入出力部から出力してもよい。
【００５６】
＜７−２＞
図９Ａ及び図９Ｂに示したような、ペルチェ素子３１２と、予め外部で冷却された冷媒３１１ｂとを設け、ペルチェ素子３１２の発熱面を冷媒３１１ｂによって冷却する構成は、ボトル保管器に限らず、他の冷却装置として用いることもできる。このような構成によれば、騒音を発生させずにペルチェ素子の発熱面を冷却することができるので、特に、食卓などの静かな環境が求められる場所に配置するための冷却装置として有用である。
【００５７】
＜７−３＞
図１８は、上述の実施の形態のボトル保管器を用いて構築されるシステムの具体例を示す概略図である。なお、ボトル保管器としては、通信部を設ければ、上述の実施の形態のどのボトル保管器であってもよい。図１８では例として、ボトル保管器６００が用いられている。
【００５８】
グループ２０００は、例えば企業、団体、家庭等であり、その規模を問わない。グループ２０００には、複数のボトル保管器６００及びホームゲートウェイ２００１が存在する。複数のボトル保管器６００には、インターネットと接続可能なものもあれば、それ自身ではインターネットと接続不可能なものも存在する。それ自身ではインターネットと接続不可能なものであっても、ホームゲートウェイ２００１を介してインターネットと接続可能となるものが存在してもよい。またグループ２０００には、ボトル保管器６００を使用するユーザー２００３が存在する。ボトル保管器６００は、ユーザー２００２が利用するスマートフォンなどの電子機器２００３と通信可能であってもよい。
【００５９】
データセンタ運営会社２１００には、クラウドサーバ２１０１が存在する。クラウドサーバ２１０１とはインターネットを介して様々な機器と連携する仮想化サーバである。主に通常のデータベース管理ツール等で扱うことが困難な巨大なデータ（ビッグデータ）等を管理する。データセンタ運営会社２１００は、データ管理やクラウドサーバ２１０１の管理、それらを行うデータセンタの運営等を行っている。
【００６０】
なお、各ボトル保管器６００は、それぞれ、携帯電話機や無線通信ルータ等のパーソナルゲートウェイを介して、クラウドサーバ２１０１と間接的に通信を行ってもよい。また、各ボトル保管器６００は、それぞれ、ゲートウェイを介さずにクラウドサーバ２１０１と直接に通信を行ってもよい。
【００６１】
ここで、データセンタ運営会社２１００は、データ管理やクラウドサーバ２１０１の運営等のみを行っている会社に限らない。例えば、図１９Ａに示したように、複数のボトル保管器６００のうちの１つを開発・製造している機器メーカが、併せてデータ管理やクラウドサーバ２１０１の運営を行っている場合もある。この場合は、機器メーカがデータセンタ運営会社２１００に該当する。
【００６２】
また、データセンタ運営会社２１００は１つの会社に限らない。例えば、図１９Ｂに示したように、機器メーカ及び他の管理会社が共同もしくは分担してデータ管理やクラウドサーバ２１０１の運営を行っている場合もある。この場合は、両者もしくはいずれか一方がデータセンタ運営会社２１００に該当するものとする。
【００６３】
サービスプロバイダ２２００は、サーバ２２０１を保有している。ここで言うサーバ２２０１とは、その規模は問わず例えば、個人用ＰＣ内のメモリ等も含む。また、サービスプロバイダ２２００がサーバ２２０１を保有していない場合もある。
【００６４】
なお、上記サービスにおいてホームゲートウェイ２００１は必須ではない。例えば、クラウドサーバ２１０１が全てのデータ管理を行っている場合等は、ホームゲートウェイ２００１は不要となる。また、家庭内のあらゆる機器がインターネットに接続されている場合のように、それ自身ではインターネットと接続不可能な機器は存在しない場合もある。
【００６５】
次に、上記サービスにおける情報の流れを説明する。
【００６６】
まず、グループ２０００のボトル保管器６００は、各ログ情報をデータセンタ運営会社２１００のクラウドサーバ２１０１に送信する。クラウドサーバ２１０１はボトル保管器６００のログ情報を集積する。
【００６７】
ログ情報は、インターネットを介して複数のボトル保管器６００自体から直接クラウドサーバ２１０１に提供される場合もある。また複数のボトル保管器６００から一旦ホームゲートウェイ２００１にログ情報が集積され、ホームゲートウェイ２００１からクラウドサーバ２１０１に提供されてもよい。
【００６８】
次に、データセンタ運営会社２１００のクラウドサーバ２１０１は、集積したログ情報を一定の単位でサービスプロバイダ２２００に提供する。ここで、データセンタ運営会社２１００が集積した情報を整理してサービスプロバイダ２２００に提供することのできる単位でもいいし、サービスプロバイダ２２００が要求した単位でもいい。一定の単位と記載したが一定でなくてもよく、状況に応じて提供する情報量が変化する場合もある。
【００６９】
前記ログ情報は、必要に応じてサービスプロバイダ２２００が保有するサーバ２２０１に保存される。そして、サービスプロバイダ２２００は、ログ情報をユーザーに提供するサービスに適合する情報に整理し、ユーザーに提供する。提供するユーザーは、複数のボトル保管器６００のいずれかを使用しているユーザー２００２でもよいし、複数のボトル保管器６００を管理運営しているユーザー２３００であってもよい。ユーザー２３００は、例えば飲食店の管理者である。また、提供するユーザーは、外部のユーザーでもよい。
【００７０】
ユーザーへのサービスは、例えば、サービスプロバイダ２２００から直接ユーザーに提供されてもよい。また、ユーザーへのサービスは、例えば、データセンタ運営会社２１００のクラウドサーバ２１０１を再度経由して、ユーザーに提供されてもよい。また、データセンタ運営会社２１００のクラウドサーバ２１０１がログ情報をユーザーに提供するサービスに適合する情報に整理し、サービスプロバイダ２２００に提供してもよい。
【００７１】
なお、ユーザー２００２とユーザー２３００とは、別でも同一でもよい。
【００７２】
＜７−４＞
本実施の形態に係るボトル保管器の隙間は、上述した形状以外の他の形状であってもよい。図２０及び図２１はそれぞれ、移動する冷温装置１０４の正面図であり、隙間の形状が異なる。
【００７３】
例えば、図２０では、収容されたボトル１の側面の底側に対応する冷温装置１０４の隙間が他の部分に比べて小さく形成されている。言い換えると、冷温装置１０４の当該底側に対応する部分が他の部分よりも突出し、図３Ｃの場合よりもボトル１を囲う面積が増加している。これにより、撮像部３１５の撮像領域を確保しながら、冷却力をより高めることができる。
【００７４】
例えば、図２１では、収容されたボトル１の側面の底側及び当該底側と当該側面の垂直方向についての反対側に対応する冷温装置１０４の隙間が他の部分に比べて小さく形成されている。言い換えると、冷温装置１０４の当該底側及び当該反対側に対応する部分が他の部分よりも突出し、図３Ｃ及び図２０の場合よりもボトル１を囲う面積が増加している。これにより、撮像部３１５の撮像領域を確保しながら、冷却力をさらに高めることができる。
【００７５】
また、冷温装置１０４の位置が調節されない場合には、冷温装置１０４が分離されなくてもよい。そのため、冷温装置１０４の形状は、上述した形状以外の他の形状であってもよい。図２２Ａは、移動しない冷温装置１０４の正面図であり、図２２Ｂは、移動しない冷温装置１０４の断面図である。
【００７６】
例えば、図２２Ａでは、撮像部３１５側において冷温装置１０４が分離されておらず、隙間は固定されていることが示される。また、図２２Ｂを参照すると、冷温装置１０４は、撮像部３１５側と反対側においても分離されておらず、隙間が設けられていない。そのため、冷温装置１０４の冷却力をより向上させることができる。なお、冷温媒体１０４ａは、冷温装置１０４の隙間に合わせて隙間を有していてもよい。
【００７７】
＜７−５＞
本実施の形態に係るボトル保管器は、撮像部３１５の撮像に応じて冷温装置を移動させてもよい。図２３は、撮像に応じた冷温装置１０４の位置調整処理の例を示すフローチャートである。
【００７８】
制御部１０７は、撮像を実行するかを判定する（ステップＳ２１）。撮像を実行すると判定すると（ステップＳ２１でＹＥＳ）、制御部１０７は、撮像領域が十分な広さであるかを判定する（ステップＳ２２）。撮像領域が十分な広さでないと判定すると（ステップＳ２２でＮＯ）、制御部１０７は、位置調整部１０５に冷温装置１０４をボトルの収容位置から遠ざけるように冷温装置１０４を移動させる（ステップＳ２３）。次いで、制御部１０７は、撮像部３１５に撮像を実行させる（ステップＳ２４）。そして、制御部１０７は、位置調整部１０５に冷温装置１０４をボトルの収容位置へ近づけるように冷温装置１０４を移動させる（ステップＳ２５）。言い換えると、制御部１０７は、位置調整部１０５に冷温装置１０４を元の位置に戻させる。なお、撮像領域が十分な広さであると判定すると（ステップＳ２２でＹＥＳ）、制御部１０７は、撮像部３１５に撮像を実行させる（ステップＳ２６）。
【００７９】
これにより、ボトルの撮像と冷却とをより効果的に両立させることができる。
【００８０】
＜７−６＞
本実施の形態に係るボトル保管器は、収容されたボトルのサイズに基づいて冷温装置を移動させてもよい。例えば、ボトルのサイズは、重量センサ又は画像認識処理を用いて判定される。図２４は、ボトルのサイズに応じた冷温装置１０４の位置調整処理の例を示すフローチャートである。
【００８１】
制御部１０７は、ボトルが検知されたかを判定する（ステップＳ３１）。ボトルが検知されたと判定すると（ステップＳ３１でＹＥＳ）、制御部１０７は、検知されたボトルのサイズが閾値以下であるかを判定する（ステップＳ３２）。ボトルのサイズが閾値以下であると判定すると（ステップＳ３２でＹＥＳ）、制御部１０７は、位置調整部１０５に冷温装置１０４をボトルの収容位置へ近づけさせる（ステップＳ３３）。
【００８２】
これにより、想定されるサイズよりも小さいボトルが挿入された場合であっても、冷温装置１０４を近づけることにより、当該ボトルを想定されるサイズのボトルと同様に冷却することができる。例えば、冷温装置１０４の円弧を当該ボトルに対して最適化することができる。
【００８３】
＜７−７＞
本実施の形態に係るボトル保管器は、ボトルの中身に基づいて冷温装置を移動させてもよい。具体的には、制御部１０７は、上述した残量センサ１１０３により検知された残量に基づいて、位置調整部１０５に冷温装置１０４の一部の位置を調節させる。例えば、図４などに示したような２つに分離している冷温装置１０４がさらに水平方向で分離され、制御部１０７は、残量センサ１１０３により検知された残量が閾値以下になると、冷温装置１０４の４つの部分のうちの下２つを位置調整部１０５の調整対象として設定する。これにより、ボトルの内容（例えば飲料）を効率よく冷却することができる。
【００８４】
なお、冷温装置がペルチェ素子である場合は、制御部１０７は、残量センサ１１０３により検知された残量に基づいて、冷却させる冷温装置の部分を制御してもよい。例えば、制御部１０７は、残量センサ１１０３により検知された残量が閾値以下になると、４つに分離された冷温装置３１０の４つの部分のうちの下２つを冷却制御対象として設定する。
【００８５】
また、冷温装置が移動させられる代わりに、ボトルが移動させられてもよい。具体的には、ボトル保管器は、収容されたボトルを昇降させる昇降機構をさらに備え、制御部１０７は、昇降機構の昇降を制御する。例えば、制御部１０７は、残量センサ１１０３により検知された残量が閾値以下になると、昇降機構にボトルをせり上げさせる。
【００８６】
＜７−８＞
本実施の形態に係るボトル保管器は、ボトルを回転させる回転機構をさらに備え、ボトルを回転させることにより冷却の偏りを抑制してもよい。例えば、制御部１０７は、ボトル内の温度偏重が検知されると、回転機構にボトルを回転させる。回転機構はモーターを備え、モーターの駆動でボトル台が回転することによりボトルが回転する。なお、制御部１０７は、ボトル内の温度偏重の度合いに応じてボトルの回転数を制御してもよい。これにより、ボトルの冷却効率を向上させることができる。
【００８７】
また、位置調整部１０５は、上記の回転機構と連動してもよい。例えば、位置調整部１０５は、回転機構の回転トルクを利用して冷温装置１０４を移動させる。これにより、ボトル保管器の構成を簡素化することができ、コストを低減することができる。
【００８８】
＜７−９＞
本実施の形態に係るボトル保管器は、冷温装置３１０が有する複数のペルチェ素子の各々の冷却を個別に制御してもよい。例えば、制御部１０７は、予め定められた順序で、複数のペルチェ素子の各々の冷却のオン／オフを制御する。また、制御部１０７は、ボトル周辺の温度又は複数のペルチェ素子の温度に応じて、複数のペルチェ素子の各々の冷却のオン／オフを制御してもよい。これにより、ボトルの部分的な過冷却又は温度偏重を抑制することができる。また、ペルチェ素子の過熱を抑制し、効率よく放熱することができる。
【００８９】
＜７−１０＞
本実施の形態に係るボトル保管器は、ボトルの重量を利用して冷温装置を移動させてもよい。例えば、ボトル保管器は、ボトルの重量で駆動する回転機構を備え、当該回転機構の回転に応じて冷温装置が移動させられる。さらに、ボトルを固定するため、ボトルをホールドする機構が冷温装置に備えられてもよい。これにより、モーターなどの部品を省くことができ、ボトル保管器の構造の簡素化又はコストの低減が可能となる。なお、回転機構以外の機構が用いられてもよい。
【００９０】
また、ボトル又はボトルのラベルを保護するための仕組みが備えられてもよい。例えば、冷温装置は鋭利な部分を有しないようにしてもよい。また、冷温装置と収容されるボトルとの間に所定の距離の空隙が生じるように、冷温装置が配置されてもよく、冷温装置の移動範囲が設定されてもよい。また、ボトルが取り出される際に、ホールドが解除されてもよい。例えば、重量が軽くなった際に、ボトルのホールドが解除される。
【００９１】
＜７−１１＞
本実施の形態に係るボトル保管器は、ボトルを挿入する開口部からの空気が漏れることを抑制するための構成を備えてもよい。具体的には、ボトル保管器は、ボトルが収容部１０１へ挿入されると開口部が閉じる開閉機構を備える。例えば、当該開閉機構は、上述したようなボトルの重量を利用した機構であってもよい。また、当該開閉機構は、電動シャッタであってもよく、制御部１０７は、重量センサがボトルの重量を検知すると、電動シャッタにシャッタを閉じさせる。
【００９２】
また、ボトル保管器は、上述したような空気を物理的に遮断する構成の代わりに、気流によって空気が漏れることを抑制してもよい。例えば、ボトル保管器は、開口部を遮蔽するような気流を開口部に作り出す気流発生機を備える。ボトルが収容されたこと又は冷却が開始されたことなどに基づいて、制御部１０７が気流発生機を制御してもよい。これにより、収容部１０１と外気との間に空気の壁を作ることができる。
【００９３】
＜７−１２＞
本実施の形態に係るボトル保管器は、冷温装置１０４の設定温度は可変であってもよい。具体的には、温度に対応する冷温媒体１０４ａがそれぞれ用意され、ユーザーが容器１０４ｂに設定温度に対応する冷温媒体１０４ａを収容する。冷温媒体１０４ａは、例えば、摂氏マイナス５度〜２度、２度〜８度、８度〜１０度など所定の温度帯に対応してそれぞれ用意される。ここで、収容すべき冷温媒体１０４ａをユーザーが誤ると、設定温度でボトルを冷却できないおそれがある。
【００９４】
そこで、制御部１０７は、表示部１０２又は通知部１０２ａに収容すべき冷温媒体１０４ａを示す色を提示させる。例えば、制御部１０７は、撮像部３１５から得られる画像に基づいて特定された銘柄に応じた設定温度に対応する色情報を銘柄データベースなどから取得し、取得された色情報が示す色を表示部１０２又は通知部１０２ａに表示させる。なお、冷温媒体１０４ａに対応する色の提示には、撮像部３１５の撮像に用いられる多色ＬＥＤが用いられてもよい。これにより、ユーザーが収容すべき冷温媒体１０４ａを誤ることを抑制することができる。
【００９５】
＜８＞実施の形態の効果
以上説明したように、本実施の形態によれば、ボトル１を収容する収容部１０１と、予め外部で冷却又は温められた冷温媒体１０４ａと冷温媒体１０４ａを収容する容器１０４ｂとを有し、ボトル収容部１０１の周囲に設けられている冷温装置１０４と、冷温装置１０４をボトル１に近接及び離間する方向に移動する位置調整部１０５と、を設けたことにより、簡易な構成でありながら、ユーザーの手間をかけずに飲料に適した保管環境及び喫飲環境を提供できる。
【００９６】
また、ボトルを収容する収容部１０１と、ボトル収容部１０１の周囲に設けられており、ペルチェ素子３１２を有する冷温装置３１０と、を備え、冷温装置３１０は、冷却面３１２ａがボトル１の方向を向き、発熱面３１２ｂがボトル１と反対側を向くように配置されたペルチェ素子３１２と、ペルチェ素子３１２の発熱面３１２ｂを冷却する冷媒３１１ｂを有する冷却促進部３１１と、備える構成としたことにより、簡易な構成でありながら、ユーザーの手間をかけずに飲料に適した保管環境及び喫飲環境を提供できる。
【００９７】
なお、本発明は、部材の種類、配置、個数等は前述の実施の形態に限定されるものではなく、その構成要素を同等の作用効果を奏するものに適宜置換する等、発明の要旨を逸脱しない範囲で適宜変更することができる。
【００９８】
本開示のボトル保管器は、ボトルを収容する収容部と、前記ボトルの収容位置を囲うように設けられる冷温装置と、前記収容部に収容された前記ボトルを撮像する撮像部と、を備え、前記冷温装置は、前記撮像部の撮像領域の少なくとも一部に対応する前記冷温装置の部分が少なくとも空いている隙間を有する。これにより、ボトルの冷却と当該ボトルの撮像に基づく付加価値の提供とを両立することができる。
【００９９】
また、本開示のボトル保管器において、前記冷温装置を前記ボトルの収容位置に近接する方向及び離間する方向の少なくとも一方に移動させる位置調整部をさらに備え、前記隙間は、前記冷温装置が前記ボトルの収容位置に近接する方向に移動させられると小さくなり、前記冷温装置が前記ボトルの収容位置から離間する方向に移動させられると大きくなる。これにより、冷温装置が近づき隙間が小さくなることで冷却を強くしたり、冷温装置が遠ざかり隙間が大きくなることで冷却を緩和したりすることができ、冷却の過不足を抑制できる。
【０１００】
また、本開示のボトル保管器において、前記隙間は、前記冷温装置が前記ボトルの収容位置に近接する方向へ移動させられた状態において前記撮像部の撮像領域に前記ボトルが含まれる程度に空いている。これにより、隙間が狭くなっても撮像領域を確保することができる。
【０１０１】
また、本開示のボトル保管器において、前記隙間は、前記冷温装置が前記ボトルの収容位置に近接する方向へ移動させられた状態において前記撮像部の撮像領域に前記ボトルが含まれない程度に空いている。これにより、冷却を優先し、ボトルの冷却力を高めることができる。
【０１０２】
また、本開示のボトル保管器において、前記位置調整部は、前記撮像部の撮像に応じて前記冷温装置を移動させる。これにより、撮像と冷却とをより効果的に両立させることができる。
【０１０３】
また、本開示のボトル保管器において、前記位置調整部は、前記撮像部の撮像が行われる前に、前記冷温装置を前記ボトルの収容位置から離間する方向へ移動させる。これにより、冷却力の低下を抑制しながら、撮像領域を確保することができる。
【０１０４】
また、本開示のボトル保管器において、前記位置調整部は、前記撮像部の撮像が行われた後、前記冷温装置を前記ボトルの収容位置に近接する方向へ移動させる。これにより、撮像の機会を確保しながら、冷却力の低下を抑制することができる。
【０１０５】
また、本開示のボトル保管器において、前記位置調整部は、前記ボトルの温度に応じて前記冷温装置を移動させる。これにより、ボトルの冷却の程度に応じて冷却力を調節することができ、ボトルの温度をより適正に管理することができる。
【０１０６】
また、本開示のボトル保管器において、前記ボトルのサイズを検知するサイズ検知部をさらに備え、前記位置調整部は、検知された前記サイズに基づいて前記冷温装置を移動させる。ボトルのサイズによっては冷温装置との距離が異なり、冷却の過不足が生じるおそれがあるが、上記構成によって、サイズに応じて距離が調節されるので、サイズによらず冷却力を適正化することができる。
【０１０７】
また、本開示のボトル保管器において、前記ボトルの中身の残量を検知する残量検知部をさらに備え、前記位置調整部は、検知された前記残量に基づいて前記冷温装置の一部を移動させる。ボトルの内容物が減った場合に、底部分の内容物が冷却されにくくなるが、上記構成によって、残量が減った場合に底部分を重点的に冷やすことにより、内容物をより確実に冷やすことができる。
【０１０８】
また、本開示のボトル保管器において、前記冷温装置は、冷温媒体と前記冷温媒体を収納する容器を有する。これにより、従来の冷媒を利用することができる。
【０１０９】
また、本開示のボトル保管器において、前記冷温装置は、冷却面が前記ボトルの方向を向き、発熱面が前記ボトルと反対側を向くように配置されたペルチェ素子と、前記ペルチェ素子の前記発熱面を冷却する冷媒と、を有する。これにより、より細かく冷却を制御できる。
【０１１０】
また、本開示のボトル保管器において、前記冷却装置は、前記冷却装置の中央が前記ボトル保管器の中央よりも前記撮像部から離間する位置に配置される。これにより、撮像部が冷却され、動作不良が生じるおそれを回避することができる。
【０１１１】
また、本開示のボトル保管器において、前記撮像部から得られる画像に基づいて前記ボトルの銘柄を特定する情報管理部と、特定された前記銘柄及び前記銘柄に関する関連情報を提示する提示部と、をさらに備える。これにより、撮像画像に基づく付加価値が提供できる。
【産業上の利用可能性】
【０１１２】
本発明のボトル保管器は、ボトルの冷却と当該ボトルの撮像に基づく付加価値の提供とを両立することができるといった効果を得ることができ、ワインボトルなどのボトル保管器として好適である。
【符号の説明】
【０１１３】
１  ボトル
１００、２００、３００、４００、６００、１０００  ボトル保管器
１０１  収容部
１０２、９０２  表示部
１０２ａ  通知部
１０３、９０４  操作入力部
１０４、３１０  冷温装置
１０４ａ  冷温媒体
１０４ｂ  容器
１０５  位置調整部
１０６  温度センサ
１０７、９０３  制御部
１０８  情報管理部
１０９、８０２  ログ情報記憶部
１１０、８０３  銘柄データベース
１２０、３１３  冷温装置制御部
２０１  送風制御部
２０２  開閉扉
３１１  冷却促進部
３１１ａ  容器
３１１ｂ  冷媒
３１２  ペルチェ素子
３１２ａ  冷却面
３１２ｂ  発熱面
３１５  撮像部
４０１、５０２、６０２、９０１、１１０１  通信部
５００、１１００  ボトルキャップ機器
５０１、１１０２  温度センサ
５０３、１１０４  キャップ本体
６０１  重量センサ
６１０  ボトル台
７００  インターネット
８００  クラウドサーバ
９００  情報機器
１１０３  残量センサ
【図１】
2018134379.tif 000003
【図２】
2018134379.tif 000004
【図３Ａ】
2018134379.tif 000005
【図３Ｂ】
2018134379.tif 000006
【図３Ｃ】
2018134379.tif 000007
【図３Ｄ】
2018134379.tif 000008
【図４】
2018134379.tif 000009
【図５】
2018134379.tif 000010
【図６】
2018134379.tif 000011
【図７】
2018134379.tif 000012
【図８】
2018134379.tif 000013
【図９Ａ】
2018134379.tif 000014
【図９Ｂ】
2018134379.tif 000015
【図１０】
2018134379.tif 000016
【図１１Ａ】
2018134379.tif 000017
【図１１Ｂ】
2018134379.tif 000018
【図１２】
2018134379.tif 000019
【図１３】
2018134379.tif 000020
【図１４】
2018134379.tif 000021
【図１５】
2018134379.tif 000022
【図１６Ａ】
2018134379.tif 000023
【図１６Ｂ】
2018134379.tif 000024
【図１７Ａ】
2018134379.tif 000025
【図１７Ｂ】
2018134379.tif 000026
【図１８】
2018134379.tif 000027
【図１９Ａ】
2018134379.tif 000028
【図１９Ｂ】
2018134379.tif 000029
【図２０】
2018134379.tif 000030
【図２１】
2018134379.tif 000031
【図２２Ａ】
2018134379.tif 000032
【図２２Ｂ】
2018134379.tif 000033
【図２３】
2018134379.tif 000034
【図２４】
2018134379.tif 000035